(57)【要約】【課題】  デジタルデータ放送によって送信されるデータ量を抑制可能なアグリゲーションサービス方法を提供する。【解決手段】  受信機２が、放送システム１から認証手続き画面のデータを受信して、認証手続き画面を画面表示部２２に表示し、入力されたアグリゲーション用認証情報をサーバシステムＡに送信し、サーバシステムＡが、受信したアグリゲーション用認証情報に対応付けられた個別認証情報に基づいて、インターネットサービスシステムにアクセスし、返信データから詳細情報を抽出して受信機２に送信し、受信機２が、放送システム１からデジタルデータ放送によりテンプレートデータを受信し、詳細情報をテンプレートデータに組み込むことにより、複数のインターネットサービスシステムからの詳細情報を含む１つの画面を、画面表示部２２に表示する。【選択図】  図１
2005151347.tif 000002
【特許請求の範囲】
【請求項１】
デジタルデータ放送に対応した画面のデータが記憶された画面データ記憶手段を有し、前記画面データ記憶手段から前記画面のデータを読み出して、デジタルデータ放送により送信するデジタルテレビジョン放送システム（以下、放送システムと略す。）と、
データ記憶部と画面表示部とを備え、前記放送システムからデジタルデータ放送を受信可能なテレビジョン受信機（以下、受信機と略す。）と、
各ユーザのアグリゲーション用認証情報と個別認証情報とが対応付けられて記憶された記憶部を備え、前記受信機に回線を介して接続されるとともに、インターネットに接続されたサーバシステムと、
を用いて、インターネットに接続された複数のインターネットサービスシステムから取得した詳細情報を、前記受信機における１つの画面で閲覧させ、必要に応じて個別の商取引、事務手続き、または、更なる詳細情報の閲覧等（以下、商取引等と言う。）へ遷移して、当該商取引等を実行させるためのアグリゲーションサービス方法であって、
前記受信機が、前記放送システムからアグリゲーション用認証情報を入力可能な認証手続き画面のデータを受信して、当該認証手続き画面を前記画面表示部に表示し、当該認証手続き画面において入力されたアグリゲーション用認証情報を、前記サーバシステムに送信するステップと、
前記サーバシステムが、前記受信機から受信したアグリゲーション用認証情報に基づいて、当該アグリゲーション用認証情報に対応付けられた個別認証情報と、当該個別認証情報に対応する、前記記憶部に記憶されているアドレス情報とを、前記記憶部から読み出し、当該個別認証情報と当該アドレス情報とに基づいて、該当するインターネットサービスシステムにアクセスし、当該インターネットサービスシステムから返信データを受信して前記記憶部に記憶するステップと、
前記サーバシステムが、前記記憶部に記憶されている抽出情報を参照して、前記記憶部に記憶されている前記返信データから詳細情報を抽出するステップと、
前記サーバシステムが、前記詳細情報を前記受信機に送信するステップと、
前記受信機が、前記サーバシステムから受信した前記詳細情報を前記データ記憶部に記憶するステップと、
前記受信機が、前記放送システムからデジタルデータ放送により前記詳細情報が組み込まれるべき画面のデータ（以下、テンプレートデータと言う。）を受信し、前記データ記憶部に記憶するステップと、
前記受信機が、前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示するステップと、
を有することを特徴とするアグリゲーションサービス方法。
【請求項２】
デジタルデータ放送に対応した画面のデータが記憶された画面データ記憶手段を有し、前記画面データ記憶手段から前記画面のデータを読み出して、デジタルデータ放送により送信する放送システムと、
データ記憶部と画面表示部とを備え、前記放送システムからデジタルデータ放送を受信可能であり、インターネットに接続された受信機と、
各ユーザのアグリゲーション用認証情報と個別認証情報とが対応付けられて記憶された記憶部を備え、前記受信機に回線を介して接続されたサーバシステムと、
を用いて、インターネットに接続された複数のインターネットサービスシステムから取得した詳細情報を、前記受信機における１つの画面で閲覧させ、必要に応じて個別の商取引等へ遷移して、当該商取引等を実行させるためのアグリゲーションサービス方法であって、
前記受信機が、前記放送システムからアグリゲーション用認証情報を入力可能な認証手続き画面のデータを受信して、当該認証手続き画面を前記画面表示部に表示し、当該認証手続き画面において入力されたアグリゲーション用認証情報を、前記サーバシステムに送信するステップと、
前記サーバシステムが、前記受信機から受信したアグリゲーション用認証情報に基づいて、当該アグリゲーション用認証情報に対応付けられた個別認証情報を前記記憶部から読み出して、当該個別認証情報を前記受信機に送信するステップと、
前記受信機が、前記サーバシステムから受信した個別認証情報を前記データ記憶部に記憶するステップと、
前記受信機が、前記放送システムからデジタルデータ放送により、または、前記サーバシステムから回線を介して、アドレス情報を受信し、前記データ記憶部に記憶するステップと、
前記受信機が、前記データ記憶部に記憶された個別認証情報と、当該個別認証情報に対応する、前記データ記憶部に記憶されたアドレス情報とを、前記データ記憶部から読み出して、当該個別認証情報と当該アドレス情報とに基づいて、該当するインターネットサービスシステムにアクセスし、当該インターネットサービスシステムから返信データを受信して、前記データ記憶部に記憶するステップと、
前記受信機が、前記放送システムからデジタルデータ放送により、または、前記サーバシステムから回線を介して、抽出情報を受信し、前記データ記憶部に記憶するステップと、
前記受信機が、前記データ記憶部に記憶された前記抽出情報を参照して、前記データ記憶部に記憶された返信データから詳細情報を抽出するステップと、
前記受信機が、前記放送システムからデジタルデータ放送によりテンプレートデータを受信し、前記データ記憶部に記憶するステップと、
前記受信機が、前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示するステップと、
を有することを特徴とするアグリゲーションサービス方法。
【請求項３】
データ記憶部と画面表示部とを備え、前記放送システムからデジタルデータ放送を受信可能であって、インターネットに接続された受信機を用いて、インターネットに接続された複数のインターネットサービスシステムから取得した詳細情報を、前記受信機における１つの画面で閲覧させ、必要に応じて個別の商取引等へ遷移して、当該商取引等を実行させるためのアグリゲーションサービス方法であって、
前記受信機が、ユーザのアグリゲーション用認証情報と個別認証情報とを取得し、互いに対応付けて前記データ記憶部に記憶するステップと、
前記受信機が、前記放送システムからデジタルデータ放送によりアグリゲーション用認証情報を入力可能な認証手続き画面のデータを受信し、当該認証手続き画面を前記画面表示部に表示するステップと、
前記受信機が、前記認証手続き画面において入力されたアグリゲーション用認証情報に対応付けられた個別認証情報を、前記データ記憶部から読み出し、当該個別認証情報に基づいて、該当するインターネットサービスシステムにアクセスし、当該インターネットサービスシステムから返信データを受信するステップと、
前記受信機が、前記返信データから前記詳細情報を抽出し、前記データ記憶部に記憶するステップと、
前記受信機が、前記放送システムからデジタルデータ放送によりテンプレートデータを受信し、前記データ記憶部に記憶するステップと、
前記受信機が、前記データ記憶部に記憶された前記テンプレートデータと前記詳細情報とを読み出して、前記詳細情報を前記テンプレートデータに組み込むことにより、複数のインターネットサービスシステムからの前記詳細情報を含む１つの画面を、前記画面表示部に表示するステップと、
を有することを特徴とするアグリゲーションサービス方法。
【請求項４】
デジタルデータ放送を送信可能な放送システムと、
前記放送システムからデジタルデータ放送を受信可能な受信機と、
前記受信機に回線を介して接続されるとともにインターネットに接続されたサーバシステムと、
を備えたアグリゲーションサービスシステムであって、
前記放送システムが、
デジタルデータ放送に対応した画面のデータが記憶された画面データ記憶手段と、
前記画面データ記憶手段から前記画面のデータを読み出して、デジタルデータ放送により送信する放送手段と、
を有し、
前記受信機が、
データ記憶部と、
画面表示部と、
前記放送システムからアグリゲーション用認証情報を入力可能な認証手続き画面のデータを受信して、当該認証手続き画面を前記画面表示部に表示する手段と、
前記画面表示部に表示された認証手続き画面において入力されたアグリゲーション用認証情報を、前記サーバシステムに送信する手段と、
を有し、
前記サーバシステムが、
各ユーザのアグリゲーション用認証情報と個別認証情報とが対応付けられて記憶された記憶部と、
前記受信機から受信したアグリゲーション用認証情報に基づいて、当該アグリゲーション用認証情報に対応付けられた個別認証情報と、当該個別認証情報に対応する、前記記憶部に記憶されているアドレス情報とを、前記記憶部から読み出し、当該個別認証情報と当該アドレス情報とに基づいて、インターネットに接続された複数のインターネットサービスシステムの内の該当するインターネットサービスシステムにアクセスし、当該インターネットサービスシステムから返信データを受信して、前記記憶部に記憶する手段と、
前記記憶部に記憶されている抽出情報を参照して、前記記憶部に記憶された前記返信データから詳細情報を抽出する手段と、
前記詳細情報を前記受信機に送信する手段と
を有し
前記受信機が、さらに、
前記サーバシステムから受信した前記詳細情報を、前記データ記憶部に記憶する手段と、
前記放送システムからデジタルデータ放送によりテンプレートデータを受信し、前記データ記憶部に記憶する手段と、
前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示する手段と、
を有することを特徴とするアグリゲーションサービスシステム。
【請求項５】
デジタルデータ放送を送信可能な放送システムと、
前記放送システムからデジタルデータ放送を受信可能であり、インターネットに接続された受信機と、
前記受信機に回線を介して接続されたサーバシステムと、
を備えたアグリゲーションサービスシステムであって、
前記放送システムが、
デジタルデータ放送に対応した画面のデータが記憶された画面データ記憶手段と、
前記画面データ記憶手段から前記画面のデータを読み出して、デジタルデータ放送により送信する放送手段と、
を有し、
前記受信機が、
データ記憶部と、
画面表示部と、
前記放送システムからアグリゲーション用認証情報を入力可能な認証手続き画面のデータを受信して、当該認証手続き画面を前記画面表示部に表示する手段と、
前記画面表示部に表示された認証手続き画面において入力されたアグリゲーション用認証情報を、前記サーバシステムに送信する手段と、
を有し、
前記サーバシステムが、
各ユーザのアグリゲーション用認証情報と個別認証情報とが対応付けられて記憶された記憶部と、
前記受信機から受信したアグリゲーション用認証情報に基づいて、当該アグリゲーション用認証情報に対応付けられた個別認証情報を、前記記憶部から読み出して前記受信機に送信する手段と、
を有し、
前記受信機が、さらに、
前記サーバシステムから受信した個別認証情報を、前記データ記憶部に記憶する手段と、
前記サーバシステムから回線を介して、または、前記放送システムからデジタルデータ放送により、アドレス情報を受信し、前記データ記憶部に記憶する手段と、
前記データ記憶部に記憶された個別認証情報と、当該個別認証情報に対応する、前記データ記憶部に記憶されたアドレス情報とを、前記データ記憶部から読み出して、当該個別認証情報と当該アドレス情報とに基づいて、インターネットに接続された複数のインターネットサービスシステムの内の該当するインターネットサービスシステムにアクセスし、当該インターネットサービスシステムから返信データを受信して、前記データ記憶部に記憶する手段と、
前記サーバシステムから回線を介して、または、前記放送システムからデジタルデータ放送により、抽出情報を受信して、前記データ記憶部に記憶する手段と、
前記データ記憶部に記憶した前記抽出情報を参照して、前記データ記憶部に記憶された返信データから詳細情報を抽出する手段と、
前記放送システムからデジタルデータ放送によりテンプレートデータを受信し、前記データ記憶部に記憶する手段と、
前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示する手段と、
を有することを特徴とするアグリゲーションサービスシステム。
【請求項６】
デジタルデータ放送に対応した画面のデータが記憶された画面データ記憶手段を有し、前記画面データ記憶手段から前記画面のデータを読み出して、デジタルデータ放送により送信する放送システムと、
データ記憶部と画面表示部とを備え、前記放送システムからデジタルデータ放送を受信可能であり、インターネットに接続された受信機と、
を備えたアグリゲーションサービスシステムであって、
前記受信機が、
ユーザのアグリゲーション用認証情報と個別認証情報とを取得して、互いに対応付けて前記データ記憶部に記憶する手段と
前記放送システムからデジタルデータ放送によりアグリゲーション用認証情報を入力可能な認証手続き画面のデータを受信し、当該認証手続き画面を前記画面表示部に表示する手段と、
前記認証手続き画面において入力されたアグリゲーション用認証情報に対応付けられた個別認証情報を、前記データ記憶部から読み出し、当該個別認証情報に基づいて、インターネットに接続された複数のインターネットサービスシステムの内の該当するインターネットサービスシステムにアクセスし、当該インターネットサービスシステムから返信データを受信する手段と、
前記返信データから前記詳細情報を抽出し、前記データ記憶部に記憶する手段と、
前記放送システムからデジタルデータ放送によりテンプレートデータを受信し、前記データ記憶部に記憶する手段と、
前記データ記憶部に記憶された前記テンプレートデータと前記詳細情報とを読み出して、前記詳細情報を前記テンプレートデータに組み込むことにより、複数のインターネットサービスシステムからの前記詳細情報を含む１つの画面を、前記画面表示部に表示する手段と、
を有することを特徴とするアグリゲーションサービスシステム。
【発明の詳細な説明】
【技術分野】
【０００１】
本発明は、インターネット上の情報を１ヶ所に集めてユーザに閲覧させるアグリゲーションサービス方法に関し、特に、デジタルデータ放送の画面上で利用可能なアグリゲーションサービス方法に関する。
【背景技術】
【０００２】
近年、多数の銀行や証券会社等のサービス提供者が、インターネットを利用したいわゆるネットバンキング等のサービスを行うようになっており、ユーザはそれぞれのサービス提供者に応じた識別情報（以下、ＩＤ）やパスワードを用いて、それぞれのサービス提供者のシステムにアクセスすることにより、残高照会や振込み等のサービスを利用できるようになっている。
【０００３】
ここで、ユーザにとっては複数のＩＤやパスワードを使い分けることや、サービス提供者毎に認証手続きを受けることは煩雑であることから、アグリゲーションサービスが利用されるようになって来ている。アグリゲーションサービスとは、インターネット上に散在するユーザの希望する情報を、１ヶ所のサイト（アグリゲーションサービスのサイト）で閲覧・操作可能にするサービスである。このアグリゲーションサービスの仕組みについて説明すると、ユーザは、予めアグリゲーションセンタのサーバに各サービス提供者に応じたＩＤやパスワードを登録し、アグリゲーション用のＩＤ・パスワードを取得する。そして、ユーザが、インターネットを介して、アグリゲーション用のＩＤ・パスワードを用いてアグリゲーションセンタのサーバにアクセスすると、アグリゲーションセンタのサーバがユーザの代わりに各サービス提供者に応じたＩＤやパスワードを用いて各サービス提供者のサーバにアクセスし、結果をまとめてユーザの端末に表示するというものである。特に、口座情報を集約するサービスはアカウントアグリゲーションサービスと言われている。
【０００４】
しかし、インターネットの普及率はテレビジョン受信機（いわゆるテレビ）の普及率にはるかに及ばず、インターネットにおけるアグリゲーションサービスの利用者も限られているのが現状である。一方、テレビジョン放送においては地上デジタル放送の開始が予定されていることから、デジタル放送におけるデータ放送（すなわち、デジタルデータ放送）によってアグリゲーションサービスを提供できれば、ユーザはテレビにおいて手軽にアグリゲーションサービスを利用できることとなる。
【０００５】
なお、デジタルデータ放送によって提供されるアグリゲーションサービスについての先行技術文献は、出願人の調査によっては発見されなかったが、デジタルデータ放送に関する先行技術文献としては、以下のものが発見された。
【特許文献１】特開２００３−１４３０８９公報
【特許文献２】特開２００２−３３５２２３公報
【発明の開示】
【発明が解決しようとする課題】
【０００６】
しかし、デジタル放送中のデータ放送に割り当てられる帯域は小さいものであるため、送信されるデータを効率よく構築しなければ、応答時間が長くなって実用的でないという問題があった。すなわち、データ放送では、ユーザから要求された内容をいつでもテレビジョン受信機が受信できるように、一定周期で同じ内容を繰り返して送信するカルーセル方式が採られている（上記特許文献１参照）が、送信されるデータの容量が大きいと、カルーセルの周期が長くなり、ユーザが要求した内容が受信され表示されるまでの時間が長くなって、実用性に欠けてしまうという問題があった。
【０００７】
この発明は、上述した問題を解決するものであり、複数のサービス提供者がインターネット上で提供する情報を集めて、デジタルデータ放送の画面上でユーザに閲覧等させるためのアグリゲーションサービス方法及びアグリゲーションサービスシステムであって、デジタルデータ放送によって送信されるデータ量を抑制可能なアグリゲーションサービス方法及びアグリゲーションサービスシステムを提供することを目的とする。
【課題を解決するための手段】
【０００８】
本発明の請求項１記載のアグリゲーションサービス方法は、
デジタルデータ放送に対応した画面のデータが記憶された画面データ記憶手段を有し、前記画面データ記憶手段から前記画面のデータを読み出して、デジタルデータ放送により送信するデジタルテレビジョン放送システム（以下、放送システムと略す。）と、
データ記憶部と画面表示部とを備え、前記放送システムからデジタルデータ放送を受信可能なテレビジョン受信機（以下、受信機と略す。）と、
各ユーザのアグリゲーション用認証情報と個別認証情報とが対応付けられて記憶された記憶部を備え、前記受信機に回線を介して接続されるとともに、インターネットに接続されたサーバシステムと、
を用いて、インターネットに接続された複数のインターネットサービスシステムから取得した詳細情報を、前記受信機における１つの画面で閲覧させ、必要に応じて個別の商取引、事務手続き、または、更なる詳細情報の閲覧等（以下、商取引等と言う。）へ遷移して、当該商取引等を実行させるためのアグリゲーションサービス方法であって、
前記受信機が、前記放送システムからアグリゲーション用認証情報を入力可能な認証手続き画面のデータを受信して、当該認証手続き画面を前記画面表示部に表示し、当該認証手続き画面において入力されたアグリゲーション用認証情報を、前記サーバシステムに送信するステップと、
前記サーバシステムが、前記受信機から受信したアグリゲーション用認証情報に基づいて、当該アグリゲーション用認証情報に対応付けられた個別認証情報と、当該個別認証情報に対応する、前記記憶部に記憶されているアドレス情報とを、前記記憶部から読み出し、当該個別認証情報と当該アドレス情報とに基づいて、該当するインターネットサービスシステムにアクセスし、当該インターネットサービスシステムから返信データを受信して前記記憶部に記憶するステップと、
前記サーバシステムが、前記記憶部に記憶されている抽出情報を参照して、前記記憶部に記憶されている前記返信データから詳細情報を抽出するステップと、
前記サーバシステムが、前記詳細情報を前記受信機に送信するステップと、
前記受信機が、前記サーバシステムから受信した前記詳細情報を前記データ記憶部に記憶するステップと、
前記受信機が、前記放送システムからデジタルデータ放送により前記詳細情報が組み込まれるべき画面のデータ（以下、テンプレートデータと言う。）を受信し、前記データ記憶部に記憶するステップと、
前記受信機が、前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示するステップと、
を有することを特徴とする。
【０００９】
本発明の請求項２記載のアグリゲーションサービス方法は、
デジタルデータ放送に対応した画面のデータが記憶された画面データ記憶手段を有し、前記画面データ記憶手段から前記画面のデータを読み出して、デジタルデータ放送により送信する放送システムと、
データ記憶部と画面表示部とを備え、前記放送システムからデジタルデータ放送を受信可能であり、インターネットに接続された受信機と、
各ユーザのアグリゲーション用認証情報と個別認証情報とが対応付けられて記憶された記憶部を備え、前記受信機に回線を介して接続されたサーバシステムと、
を用いて、インターネットに接続された複数のインターネットサービスシステムから取得した詳細情報を、前記受信機における１つの画面で閲覧させ、必要に応じて個別の商取引等へ遷移して、当該商取引等を実行させるためのアグリゲーションサービス方法であって、
前記受信機が、前記放送システムからアグリゲーション用認証情報を入力可能な認証手続き画面のデータを受信して、当該認証手続き画面を前記画面表示部に表示し、当該認証手続き画面において入力されたアグリゲーション用認証情報を、前記サーバシステムに送信するステップと、
前記サーバシステムが、前記受信機から受信したアグリゲーション用認証情報に基づいて、当該アグリゲーション用認証情報に対応付けられた個別認証情報を前記記憶部から読み出して、当該個別認証情報を前記受信機に送信するステップと、
前記受信機が、前記サーバシステムから受信した個別認証情報を前記データ記憶部に記憶するステップと、
前記受信機が、前記放送システムからデジタルデータ放送により、または、前記サーバシステムから回線を介して、アドレス情報を受信し、前記データ記憶部に記憶するステップと、
前記受信機が、前記データ記憶部に記憶された個別認証情報と、当該個別認証情報に対応する、前記データ記憶部に記憶されたアドレス情報とを、前記データ記憶部から読み出して、当該個別認証情報と当該アドレス情報とに基づいて、該当するインターネットサービスシステムにアクセスし、当該インターネットサービスシステムから返信データを受信して、前記データ記憶部に記憶するステップと、
前記受信機が、前記放送システムからデジタルデータ放送により、または、前記サーバシステムから回線を介して、抽出情報を受信し、前記データ記憶部に記憶するステップと、
前記受信機が、前記データ記憶部に記憶された前記抽出情報を参照して、前記データ記憶部に記憶された返信データから詳細情報を抽出するステップと、
前記受信機が、前記放送システムからデジタルデータ放送によりテンプレートデータを受信し、前記データ記憶部に記憶するステップと、
前記受信機が、前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示するステップと、
を有することを特徴とする。
【００１０】
本発明の請求項３記載のアグリゲーションサービス方法は、
データ記憶部と画面表示部とを備え、前記放送システムからデジタルデータ放送を受信可能であって、インターネットに接続された受信機を用いて、インターネットに接続された複数のインターネットサービスシステムから取得した詳細情報を、前記受信機における１つの画面で閲覧させ、必要に応じて個別の商取引等へ遷移して、当該商取引等を実行させるためのアグリゲーションサービス方法であって、
前記受信機が、ユーザのアグリゲーション用認証情報と個別認証情報とを取得し、互いに対応付けて前記データ記憶部に記憶するステップと、
前記受信機が、前記放送システムからデジタルデータ放送によりアグリゲーション用認証情報を入力可能な認証手続き画面のデータを受信し、当該認証手続き画面を前記画面表示部に表示するステップと、
前記受信機が、前記認証手続き画面において入力されたアグリゲーション用認証情報に対応付けられた個別認証情報を、前記データ記憶部から読み出し、当該個別認証情報に基づいて、該当するインターネットサービスシステムにアクセスし、当該インターネットサービスシステムから返信データを受信するステップと、
前記受信機が、前記返信データから前記詳細情報を抽出し、前記データ記憶部に記憶するステップと、
前記受信機が、前記放送システムからデジタルデータ放送によりテンプレートデータを受信し、前記データ記憶部に記憶するステップと、
前記受信機が、前記データ記憶部に記憶された前記テンプレートデータと前記詳細情報とを読み出して、前記詳細情報を前記テンプレートデータに組み込むことにより、複数のインターネットサービスシステムからの前記詳細情報を含む１つの画面を、前記画面表示部に表示するステップと、
を有することを特徴とする。
【００１１】
本発明の請求項４記載のアグリゲーションサービスシステムは、
デジタルデータ放送を送信可能な放送システムと、
前記放送システムからデジタルデータ放送を受信可能な受信機と、
前記受信機に回線を介して接続されるとともにインターネットに接続されたサーバシステムと、
を備えたアグリゲーションサービスシステムであって、
前記放送システムが、
デジタルデータ放送に対応した画面のデータが記憶された画面データ記憶手段と、
前記画面データ記憶手段から前記画面のデータを読み出して、デジタルデータ放送により送信する放送手段と、
を有し、
前記受信機が、
データ記憶部と、
画面表示部と、
前記放送システムからアグリゲーション用認証情報を入力可能な認証手続き画面のデータを受信して、当該認証手続き画面を前記画面表示部に表示する手段と、
前記画面表示部に表示された認証手続き画面において入力されたアグリゲーション用認証情報を、前記サーバシステムに送信する手段と、
を有し、
前記サーバシステムが、
各ユーザのアグリゲーション用認証情報と個別認証情報とが対応付けられて記憶された記憶部と、
前記受信機から受信したアグリゲーション用認証情報に基づいて、当該アグリゲーション用認証情報に対応付けられた個別認証情報と、当該個別認証情報に対応する、前記記憶部に記憶されているアドレス情報とを、前記記憶部から読み出し、当該個別認証情報と当該アドレス情報とに基づいて、インターネットに接続された複数のインターネットサービスシステムの内の該当するインターネットサービスシステムにアクセスし、当該インターネットサービスシステムから返信データを受信して、前記記憶部に記憶する手段と、
前記記憶部に記憶されている抽出情報を参照して、前記記憶部に記憶された前記返信データから詳細情報を抽出する手段と、
前記詳細情報を前記受信機に送信する手段と
を有し
前記受信機が、さらに、
前記サーバシステムから受信した前記詳細情報を、前記データ記憶部に記憶する手段と、
前記放送システムからデジタルデータ放送によりテンプレートデータを受信し、前記データ記憶部に記憶する手段と、
前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示する手段と、
を有することを特徴とする。
【００１２】
本発明の請求項５記載のアグリゲーションサービスシステムは、
デジタルデータ放送を送信可能な放送システムと、
前記放送システムからデジタルデータ放送を受信可能であり、インターネットに接続された受信機と、
前記受信機に回線を介して接続されたサーバシステムと、
を備えたアグリゲーションサービスシステムであって、
前記放送システムが、
デジタルデータ放送に対応した画面のデータが記憶された画面データ記憶手段と、
前記画面データ記憶手段から前記画面のデータを読み出して、デジタルデータ放送により送信する放送手段と、
を有し、
前記受信機が、
データ記憶部と、
画面表示部と、
前記放送システムからアグリゲーション用認証情報を入力可能な認証手続き画面のデータを受信して、当該認証手続き画面を前記画面表示部に表示する手段と、
前記画面表示部に表示された認証手続き画面において入力されたアグリゲーション用認証情報を、前記サーバシステムに送信する手段と、
を有し、
前記サーバシステムが、
各ユーザのアグリゲーション用認証情報と個別認証情報とが対応付けられて記憶された記憶部と、
前記受信機から受信したアグリゲーション用認証情報に基づいて、当該アグリゲーション用認証情報に対応付けられた個別認証情報を、前記記憶部から読み出して前記受信機に送信する手段と、
を有し、
前記受信機が、さらに、
前記サーバシステムから受信した個別認証情報を、前記データ記憶部に記憶する手段と、
前記サーバシステムから回線を介して、または、前記放送システムからデジタルデータ放送により、アドレス情報を受信し、前記データ記憶部に記憶する手段と、
前記データ記憶部に記憶された個別認証情報と、当該個別認証情報に対応する、前記データ記憶部に記憶されたアドレス情報とを、前記データ記憶部から読み出して、当該個別認証情報と当該アドレス情報とに基づいて、インターネットに接続された複数のインターネットサービスシステムの内の該当するインターネットサービスシステムにアクセスし、当該インターネットサービスシステムから返信データを受信して、前記データ記憶部に記憶する手段と、
前記サーバシステムから回線を介して、または、前記放送システムからデジタルデータ放送により、抽出情報を受信して、前記データ記憶部に記憶する手段と、
前記データ記憶部に記憶した前記抽出情報を参照して、前記データ記憶部に記憶された返信データから詳細情報を抽出する手段と、
前記放送システムからデジタルデータ放送によりテンプレートデータを受信し、前記データ記憶部に記憶する手段と、
前記データ記憶部に記憶された前記詳細情報と前記テンプレートデータとを読み出して、前記詳細情報を前記テンプレートデータに組み込むことにより、複数のインターネットサービスシステムからの前記詳細情報を含む１つの画面を、前記画面表示部に表示する手段と、
を有することを特徴とする。
【００１３】
本発明の請求項６記載のアグリゲーションサービスシステムは、
デジタルデータ放送に対応した画面のデータが記憶された画面データ記憶手段を有し、前記画面データ記憶手段から前記画面のデータを読み出して、デジタルデータ放送により送信する放送システムと、
データ記憶部と画面表示部とを備え、前記放送システムからデジタルデータ放送を受信可能であり、インターネットに接続された受信機と、
を備えたアグリゲーションサービスシステムであって、
前記受信機が、
ユーザのアグリゲーション用認証情報と個別認証情報とを取得して、互いに対応付けて前記データ記憶部に記憶する手段と
前記放送システムからデジタルデータ放送によりアグリゲーション用認証情報を入力可能な認証手続き画面のデータを受信し、当該認証手続き画面を前記画面表示部に表示する手段と、
前記認証手続き画面において入力されたアグリゲーション用認証情報に対応付けられた個別認証情報を、前記データ記憶部から読み出し、当該個別認証情報に基づいて、インターネットに接続された複数のインターネットサービスシステムの内の該当するインターネットサービスシステムにアクセスし、当該インターネットサービスシステムから返信データを受信する手段と、
前記返信データから前記詳細情報を抽出し、前記データ記憶部に記憶する手段と、
前記放送システムからデジタルデータ放送によりテンプレートデータを受信し、前記データ記憶部に記憶する手段と、
前記データ記憶部に記憶された前記テンプレートデータと前記詳細情報とを読み出して、前記詳細情報を前記テンプレートデータに組み込むことにより、複数のインターネットサービスシステムからの前記詳細情報を含む１つの画面を、前記画面表示部に表示する手段と、
を有することを特徴とする。
【発明の効果】
【００１４】
本発明のアグリゲーションサービス方法またはアグリゲーションサービスシステムによれば、デジタルデータ放送によって送信される画面のデータには、データ量が多くなりがちな詳細情報が含まれないので、デジタルデータ放送によって送信されるデータ量を抑制することができる。
【００１５】
そして、ユーザは、デジタルデータ放送において一回のログイン操作によって、複数サービス提供者からの詳細情報を１つの画面に表示させることができるので、テレビを用いて手軽にアグリゲーションサービスを利用できることとなる。
【００１６】
また、各インターネットサービスシステムからの返信データから詳細情報が抽出され、受信機において、その詳細情報がデジタルデータ放送に対応したテンプレートデータに組み込まれるので、各インターネットサービスシステムは、デジタルデータ放送に対応しないＨＴＭＬ等の既存の形式のデータを返信すればよいこととなり、各サービス提供者は、既存のインターネットサービスシステムをそのまま使用することができ、デジタルデータ放送に対応したシステムを構築する必要がない。
【発明を実施するための最良の形態】
【００１７】
１．第１実施形態
本発明の第１実施形態を図面に基づいて説明する。
【００１８】
１−１．全体構成等
第１実施形態のアグリゲーションサービスシステムは、図１に示すように、デジタルテレビジョン放送システム１と、テレビジョン受信機２と、サーバシステムＡとを備える。
【００１９】
放送システム１は、地上デジタル放送局に設けられ、放送手段であるデジタル放送装置１１及びアンテナ１０と、画面データ記憶手段である記憶装置１３とを備えている。記憶装置１３には、デジタル放送用のコンテンツが格納（すなわち記憶）されたデータベース１２が記憶されている。デジタル放送装置１１は、所定の放送スケジュールに従って、データベース１２からコンテンツを読み出してアンテナ１０を介して放送（すなわち送信）する。
【００２０】
デジタル放送では、通常の音声、映像からなる番組の他に、データ放送が行われる。データ放送には、通常の番組に連動して提供されるものと、ニュース、天気予報などのように、通常の番組とは独立に提供されるものとがある。本発明のアグリゲーションサービスは、独立に提供されるデータ放送において行われる。そして、デジタル放送では、映像・音声のストリーム、データ放送のためのデータストリーム、選局のための制御情報や電子番組表を表示するための情報等のストリームなどが多重化されてトランスポートストリームとされ、このトランスポートストリームに対して誤り訂正符号、変調等の処理がなされて、送信信号とされる。
【００２１】
データベース１２に格納されているコンテンツには、デジタルデータ放送用の画面のデータが含まれている。デジタルデータ放送用の画面のデータは、デジタルデータ放送に対応して、ＢＭＬ（Broadcast Markup Language）と呼ばれるＸＭＬ（eXtensible Markup Language）応用言語で記述されている。ＢＭＬ記述には、動的機能を実現するためのスクリプト言語であるＥＣＭＡ Ｓcriptによる記述が、必要に応じて含まれている。そして、デジタルデータ放送用の画面のデータは、上述したカルーセル方式で送信される。デジタルデータ放送用の画面のデータには、後述する認証手続き画面等のデータとテンプレートデータとが含まれている。
【００２２】
放送システム１について、図２に基づいて説明する。ＥＤＰＳ(Electric Data Processing System)１０７は、編成情報・素材情報・経理情報・売上管理等の情報を一括管理する営業放送システムであり、編成管理データを管理するとともに媒体枠の販売データ管理を行う。ＤＳ(Data Server)１０６は、自動運行のための編成情報を蓄積し、数日分の番組のデータベースを処理するデータサーバである。ＡＰＣ（Automatic Program Controller)１０５は、ＤＳ１０６から得た編成情報に従い、決まった時間に映像・音声を切替えたり、ＶＴＲ１０１をスタートさせたりする自動番組送出制御装置であり、マスターＳＷ１０８、ＥＰＧ（Electronic Program Guide)１０９、及び、データ放送送出設備１１０に指示を与える。
【００２３】
マスターＳＷ１０８は、ＡＰＣ１０５の指示により映像・音声を切替える装置であり、テレビ放送用のＶＴＲ１０１、中継先や他放送局からの伝送回線であるテレビジョン回線１０２、放送用スタジオ１０３、及び、放送用の映像・音声信号を生成するその他の素材機器１０４から取得した映像・音声信号を適宜切替えつつ、ＭＵＸ（Multiplexer)１１２に出力する。ＥＰＧ１０９は、電子番組ガイド（テレビ画面に映し出される番組表）のデータを送出する装置であり、番組を送出する電波の合間に番組表データを送出する。データ放送送出設備１１０は、データ放送用のデータをカルーセル方式・ＰＥＳ（Packetized Elementary Stream)方式によって生成する装置であり、データ放送コンテンツ素材サーバ１１１からデータ放送用のデータを取得する。なお、ＰＥＳとは、データ放送で扱われる映像・音声等のパケット化されたストリームである。データ放送コンテンツ素材サーバ１１１は、データ放送を送出するためにコンテンツデータを蓄えておく装置であり、記憶装置１３を有している。データ放送コンテンツ素材サーバ１１１は、応答サーバ３やゲートウェイサーバ４等から、インターネット用インタフェース１１８、専用回線用インタフェース１１９、及び、社内ＬＡＮ回線１１７を経て送信された情報も蓄える。
【００２４】
ＭＵＸ１１２は、映像・音声・データ放送・電子番組ガイド・その他のデジタル放送用データを多重化してＴＳ（Transport Stream)信号に変換する装置である。変調機１１３は、ＭＵＸ１１２から送られるＴＳ信号に対してＯＦＤＭ(Orthogonal Frequency Division Multiplex)変調をかける装置である。放送機１１４は、変調機１１３から送られた変調信号を、放送局固有の周波数（チャンネル）に変換し、増幅する装置である。放送機１１４で増幅された信号は、アンテナ１０によって受信機２に向けて電波伝播される。
【００２５】
放送システム１により放送されたデジタル放送は、各ユーザの受信機２に受信される。受信機２は、地上デジタルテレビジョン放送を受信可能ないわゆる地上デジタルテレビである。受信機２は、図１に示すように、電話回線５を介して、サーバシステムＡの中の応答サーバ３と接続されている。なお、受信機２と応答サーバ３とを、ＡＤＳＬ、光ファイバー、ＣＡＴＶ用ケーブル等のインターネット用回線で接続してもよい。
【００２６】
受信機２は、図１に示すように、データ記憶部２１と、画面表示部（テレビ画面）２２と、入力手段としてのリモコンＲと、各部を制御する制御部２３と、通信部２４とを備えている。制御部２３は、画面表示部２２と協働して、各種画面を表示する手段として機能し、通信部２４と協働して、各種情報（データ）の送受信を行う手段として機能し、データ記憶部２１と協働して、各種情報（データ）を記憶する手段として機能する。データ記憶部２１には、ＢＭＬ記述を解析し実行するプログラム（ブラウザ）やその他のプログラムが記憶される。制御部２３は、それらのプログラムを読み出して実行することにより、詳細情報組み込み処理等の各種の処理を行う。リモコンＲは、地上デジタル放送用のリモコンであり、ＢＳデジタル放送用のリモコンと略同じ機能を有する。例えば、リモコンＲは、色分けされた複数のファンクションボタンを有し、それらのファンクションボタンは、赤色のファンクションボタンを押下すれば画面上に表示された赤色のボタンが押下されたことになる等、画面上の色分けされたボタンに対応している。また、リモコンＲは、画面上のカーソルを動かすためのボタンも有している。
【００２７】
受信機２について、図３に基づいて説明する。チューナ２０１は、デジタル放送の電波信号を、受信したい周波数（チャンネル）に合わせてチューニングし、希望するテレビ局の信号を取り出す装置である。チューナ２０１で取り出された信号はＯＦＤＭ変調されているため、復調装置２０２で元のＴＳ信号に戻される。復調された信号は、ＴＳ処理部２２４に入力され、ＰＩＤ（Packet Identifier)フィルタリング２１３、セクションフィルタリング２１４によりＴＳ処理（ＴＳパケットの選り分け処理）される。ＰＩＤフィルタリング２１３は、ＰＩＤ情報（１３ビットのストリーム識別情報で該当パケットの個別ストリームの属性を示すもの）に従い、映像・音声・その他の情報にデータを選り分けるユニットである。セクションフィルタリング２１４は、セクション（番組配列情報をＴＳパケットにマッピングするために使用されるシンタスク構造）毎にＴＳパケットを選り分けるユニットである。選り分けられた音声データは音声デコード２１５に出力され、映像データは映像デコード２１６に出力され、セクションデータはセクションデータデコード２１７に出力される。音声デコード２１５は、放送局で圧縮されたデジタル音声データを元に戻し、音声出力部（スピーカ）２５で出力できる信号に変換するユニットである。映像デコード２１６は、放送局で圧縮されたデジタル映像データを元に戻し、画面出力部（テレビ画面）２２で出力できる信号に変換するユニットである。セクションデータデコード２１７は、セクションデータを元に戻し、受信機２で扱える信号に変換するユニットである。元に戻された音声信号は、音声出力ポート（ＡＵＤＩＯ ＯＵＴ）２１９を介して音声出力部２５に出力される。また、映像信号及びセクションデータは、ＧＵＩ（Graphic User Interface)表示ユニット２１８に出力される。ＧＵＩ表示ユニット２１８は、一般のテレビ放送、データ放送、及び、それらの組み合わせを表示するために、各信号やデータを解析して、モニター（テレビ画面）出力用の映像信号を生成するユニットである。ＧＵＩ表示ユニット２１８により生成された映像信号は、映像出力ポート（ＶＩＤＥＯ ＯＵＴ）２２０を介して画面表示部２２に出力される。
【００２８】
チューナ２０１、復調装置２０２、音声デコード２１５、映像デコード２１６、セクションデータデコード２１７、ＧＵＩ表示ユニット２１８等は、主部２００と信号やデータのやり取りを行いながら、上述した処理を行う。主部２００には、受信機２を操作するためのユーザ用コントローラであるリモコンＲ、入出力ポート（Ｉ／Ｏ）２０４、ＲＯＭ２０５、ＲＡＭ２０６、ＮＶＲＡＭ２１１、データ蓄積装置２０８、ＣＰＵ（中央処理装置）２０７、インターネットや携帯通信との回線を接続する通信インタフェース２０９、拡張インタフェース２１０、ＣＡＳ（Conditional Access System)２２１が含まれている。ＲＯＭ２０５は、受信機２の製造段階で情報が書き込まれ、その情報が読み出される記憶装置である。ＲＡＭ２０６は、受信機２が作動するためのデータを一時格納するメモリであり、データ放送のコンテンツやダウンロードしたプログラム等も格納する。ＮＶＲＡＭ２１１は、デジタル放送の基本情報、データ放送の設定情報、受信機２のユーザ毎の情報、サービス提供者別の固有情報等を格納するメモリであり、不揮発性のメモリを用いる。データ蓄積装置２０８は、カルーセル方式及びＰＥＳ方式によるデータ放送のコンテンツを常駐して蓄積するための記憶装置であり、ハードディスク等を用いる。これらのＲＯＭ２０５、ＲＡＭ２０６、ＮＶＲＡＭ２１１、データ蓄積装置２０８等により、データ記憶部２１が構成される。また、ＣＰＵ２０７等により制御部２３が構成され、通信インタフェース２０９、拡張インタフェース２１０等により通信部２４が構成される。ＣＡＳ２２１は、編成チャンネルや番組の視聴を制御するシステムである。
【００２９】
通信インタフェース２０９には、本実施形態では電話回線５が接続されるが、インターネット回線を接続することもできる。また、携帯通信網や移動体衛星通信を利用するための携帯ユニット２１２を接続して、携帯通信網や移動体衛星通信等の移動体通信２２２と接続することもできる。
【００３０】
サーバシステムＡは、図１に示すように、応答サーバセンタに設けられた応答サーバ３と、ゲートウェイセンタに設けられたゲートウェイサーバ４とを備えている。応答サーバ３は、専用回線６を介してゲートウェイサーバ４と接続されている。なお、応答サーバ３とゲートウェイサーバ４とを、インターネット用回線で接続してもよい。
【００３１】
応答サーバ３はサーバコンピュータであり、図４に示すように、各種プログラムやデータが記憶される記憶部３０と、所定の制御プログラムに従って各部を制御する制御部３２と、データ通信を行うための通信部３３と、データの入力操作が行われる入力部３５と、データが出力される出力部３４とを備えている。記憶部３０は、ＲＯＭ、ＲＡＭ等の半導体メモリ、ハードディスク記憶装置、フレキシブルディスク記憶装置、光磁気ディスク記憶装置等からなっている。記憶部３０には、世帯認証データベース３１が記憶されており、また、受信機２から送信されたアグリゲーション用認証情報を世帯認証情報データベース３１中のアグリゲーション用認証情報と照合して世帯認証を行うための世帯認証プログラム３６等、制御部３２が実行する各種のプログラムが記憶されている。また、記憶部３０には、制御部３２がプログラム実行時に用いるレジスタ等が確保されている。制御部３２は、ＣＰＵ等からなり、記憶部３０に記憶されている各種のプログラムを実行して、世帯認証処理等の各種の処理を行う手段として機能する。また、制御部３２は、通信部３３と協働して、各種情報（データ）の送受信を行う手段として機能し、記憶部３０と協働して、各種情報（データ）を記憶する手段として機能する。通信部３３は、回線５を介して受信機２との間でデータの送受信を行い、また、回線６を介してゲートウェイサーバ４との間でデータの送受信を行う。入力部３５は、マウス等のポインティングデバイスやキーボード等からなっている。出力部３４は、ディスプレイ装置や印刷装置等からなっている。
【００３２】
世帯認証データベース３１には、図５に示すように、各ユーザのアグリゲーション用認証情報として、各ユーザのＩＤ（ここでは、ユーザ名）とパスワードとが格納されている。
【００３３】
ゲートウェイサーバ４はサーバコンピュータであり、図６に示すように、各種プログラムやデータが記憶される記憶部４０と、所定の制御プログラムに従って各部を制御する制御部４２と、データ通信を行うための通信部４３と、データの入力操作が行われる入力部４５と、データが出力される出力部４４とを備えている。記憶部４０は、ＲＯＭ、ＲＡＭ等の半導体メモリ、ハードディスク記憶装置、フレキシブルディスク記憶装置、光磁気ディスク記憶装置等からなっている。記憶部４０には、認証データベース４１や設定情報テーブル４６が記憶されており、また、インターネットを介して後述するインターネットサービスシステム（以下、単にサービスシステムとも言う。）にアクセスするためのインターネットアクセス用プログラム４７や、サービスシステムから返信されたデータから詳細情報を抽出するための詳細情報抽出プログラム４８等、制御部４２が実行する各種のプログラムが記憶されている。なお、インターネットアクセス用プログラム４７、詳細情報抽出プログラム４８は、いずれも、サービスシステムからの返信データの形式（言語方式）に応じて複数用意されている。また、記憶部４０には、制御部４２がプログラム実行時に用いるレジスタ等が確保されている。制御部４２は、ＣＰＵ等からなり、記憶部４０に記憶されている各種のプログラムを実行して、サービスシステムへのアクセス処理や、詳細情報の抽出処理等の各種の処理を行う手段として機能する。また、制御部４２は、通信部４３と協働して、各種情報（データ）の送受信を行う手段として機能し、記憶部４０と協働して、各種情報（データ）を記憶する手段として機能する。通信部４３は、回線６を介して応答サーバ３との間でデータの送受信を行い、また、インターネットを介してサービスシステムとの間でデータの送受信を行う。入力部４５は、マウス等のポインティングデバイスやキーボード等からなっている。出力部４４は、ディスプレイ装置や印刷装置等からなっている。
【００３４】
認証データベース４１には、図７に示すように、各ユーザのアグリゲーション用認証情報と個別認証情報とが対応付けられて格納されている。個別認証情報とは、ユーザがサービスシステムを利用するときの認証情報を言う。図７の例では、あるユーザのアグリゲーション用認証情報（ユーザ名「ＡＢＣ」、パスワード「ＤＥＦ」）に対して、そのユーザの○○銀行、△△証券、ＸＸ市役所、□□クレジットの各サービスシステムに対する個別認証情報（ユーザ名「ｕｕｕ」パスワード［ｐｗ００１」、ユーザ名「ｘｘｘ」パスワード「ｐｗ００２」、ユーザ名「ｙｙｙ」パスワード「ｐｗ００３」、ユーザ名「ｚｚｚ」パスワード「ｐｗ００４」）が対応付けられている。図７の例に示すように、個別認証情報は、同じユーザであってもサービスシステムによって内容が異なり得る。また、個別認証情報は、例えばユーザ名とパスワードの組み合わせであったり、認証番号とパスワードの組み合わせであったりする等、サービスシステムによって種類も異なりうるが、ここでは、すべてユーザ名とパスワードとの組み合わせとして説明する。個別認証情報は、通常、ユーザが利用したいサービスシステムのサービス提供者に予め申し込むことによって、サービスシステムに登録（すなわち記憶）されている。また、複数のサービスシステムからの情報を集めるというアグリゲーションサービスの趣旨から、認証データベース４１には、１つのアグリゲーション用認証情報に対して、通常、複数の個別認証情報が対応付けられて格納されている。
【００３５】
設定情報テーブル４６は、サービスシステム毎に作成され、図８−１に示すように、サービスシステムの識別情報（ここでは、サービス提供者名）、言語方式（サービスシステムからの返信データの形式）、トランザクション方式（トランザクション処理を行うときの方式）、ポート番号、アドレス情報（ここでは、ＵＲＬ）、及び、抽出情報８１が記憶されている。なお、ここでは、１のサービス提供者がサービスシステムを１つだけ提供しているものとし、サービスシステムの識別情報としてサービス提供者名を用いることとしたが、１のサービス提供者が複数のサービスシステムを提供している場合には、それらのサービスシステムを識別できる情報を用いる。
【００３６】
抽出情報８１とは、返信データから詳細情報を抽出するための情報を言い、サービスシステムからの返信データ中の詳細情報の存在位置を示す位置情報を含む。抽出情報８１はサービスシステムによって異なり得る。図８−１の例では、返信データがＨＴＭＬ形式であるため、抽出情報８１として、詳細情報に付加されているタグ等のキーワード（詳細情報の存在位置を示す位置情報に相当）、詳細情報のデータ長、数値（Ｎ）か文字（Ｃ）かのデータ形式、データの内容を示すコメント等が記憶されている。また、設定情報テーブル４６には、個別認証情報をデータに組み入れてサービスシステムに送信するときの組み入れ位置を示す認証位置情報が記憶されている。
【００３７】
ゲートウェイサーバ４はインターネットに接続され、インターネットには、インターネットサービスシステムが複数接続されている。インターネットサービスシステムとは、インターネットを介してサービスを行うコンピュータシステムを言う。インターネットサービスシステムには、図１に示すように、銀行が提供するインターネットバンキングシステムＳ１、証券会社が提供するインターネット証券システムＳ２、市役所等の地方自治体の機関が提供するインターネット住民サービスシステムＳ３、クレジット会社が提供するインターネットクレジットシステムＳ４等、様々な種類がある。これらのインターネットサービスシステムは既存のものであるので、詳しい説明は省略する。インターネットサービスシステムによるサービスを提供する者を、サービス提供者と言う。サービス提供者には、営利を目的としてサービス業を営む者のみならず、国や地方自治体の機関、公立学校等、インターネット上で何らかのサービス（情報の閲覧のみ可能な場合も含む）を行う者を全て含む。
【００３８】
インターネットバンキングシステムＳ１の例を、図９に示す。このインターネットバンキングシステムＳ１は、各種プログラムやデータが記憶される記憶部５０と、所定の制御プログラムに従って各部を制御する制御部５３と、データ通信を行うための通信部５４と、データの入力操作が行われる入力部５６と、データが出力される出力部５５とを備えている。記憶部５０は、ＲＯＭ、ＲＡＭ等の半導体メモリ、ハードディスク記憶装置、フレキシブルディスク記憶装置、光磁気ディスク記憶装置等からなっている。記憶部５０には、顧客認証ファイル５１や口座情報ファイル５２等の各種のファイルや、制御部４２が実行する各種のプログラムが記憶され、また、制御部５３がプログラム実行時に用いるレジスタ等が確保されている。制御部５３は、ＣＰＵ等からなり、記憶部５０に記憶されている各種のプログラムを実行して、顧客の認証処理や口座情報の送信等の各種の処理を行う。通信部５４は、インターネットを介してゲートウェイサーバ４との間でデータの送受信を行う。入力部５６は、マウス等のポインティングデバイスやキーボード等からなっている。出力部５５は、ディスプレイ装置や印刷装置等からなっている。顧客認証ファイル５１には、インターネットバンキングシステムＳ１に対する各ユーザの個別認証情報が格納されている。口座情報ファイル５２には、インターネットバンキングシステムＳ１の提供者である「○○銀行」における各ユーザの口座情報が格納されている。
【００３９】
１−２．動作説明
次に、図１０−１〜図１０−６のフローチャートに基づいて動作説明をする。なお、フローチャートでは、放送局と放送システム１、応答サーバ３と応答サーバセンタ、ゲートウェイサーバ４とゲートウェイセンタを同義として用い、また、画面のデータと言う代わりに、単に画面とも言う。
【００４０】
１−２−１．アグリゲーション用認証情報送信ステップ
まず、ゲートウェイサーバ４は、各サービス提供者のサービスシステムの言語に合わせてアクセスを可能とするインターネットアクセス用プログラム４７を、上述したように記憶部４０に記憶しておく。また、ゲートウェイサーバ４は、上述したように、サービスシステムとの交信に必要な個別認証情報の位置情報（すなわち認証位置情報）、抽出する詳細情報の位置を示すタグ等の位置情報（これらの位置情報を合わせてタグ位置情報とも言う。）、言語方式、ＵＲＬ等が記憶された設定情報テーブル４６を記憶部４０に記憶しておく（Ｓ１００−１）。
【００４１】
また、ゲートウェイサーバ４は、後述する一括表示画面のテンプレートデータのどこに詳細情報を組み込むかを示す表規定情報を、予め放送局に送っておく（Ｓ１００−２）。この表規定情報の送付は、例えば、放送システム１とゲートウェイサーバ４とを専用回線等の回線で接続しておき、その回線を介して（すなわち、オンラインで）行ってもよいし、ＣＤ−ＲＯＭ等の記憶媒体に入れて送る等、オフラインで行ってもよい。
【００４２】
表規定情報の例を、図８−２に示す。表規定情報は、サービスシステム毎に作成され、サービス提供者名を含むとともに、データ名と、そのデータ名のデータが埋め込まれるべきテンプレートデータ（ＢＭＬ記述） 中の位置を示す位置情報と、そのデータの内容を表すコメント情報とを含む。表規定情報中のデータ名は、後述する詳細情報テーブル中のデータ名と対応している。
【００４３】
放送システム１は、送られた表規定情報を記憶装置１３に記憶しておく。放送システム１は、ＢＭＬで記述されたアグリゲーションサービス用の一連の画面のデータ（後述する認証手続き画面のデータやテンプレートデータを含む）や、受信機２が必要とするプログラム、前述の表規定情報等を、放送スケジュールにしたがって記憶装置１３から読み出し、放送電波に乗せてカルーセル方式で（すなわち、所定周期で繰り返して）送信している（Ｓ１０１）。受信機２は、この放送電波から、ユーザの操作に応じて画面のデータ等を受信することとなる。
【００４４】
一方、ユーザは受信機２のスイッチを入れ（Ｓ１０２）、リモコンＲの操作により、アグリゲーションサービス画面に入るか否かを選択する（Ｓ１０３）。ここで、アグリゲーションサービス画面に入らないことを選択した場合、ユーザは他のサービス（番組）を視聴することとなる（Ｓ１０４）。また、アグリゲーションサービス画面に入ることを選択した場合、受信機２は、放送電波から認証手続き画面のＢＭＬデータを受信してデータ記憶部２１に記憶し、図１１に示すような認証手続き画面（アグリゲーション初期画面）を画面表示部２２に表示する（Ｓ１０５）。認証手続き画面は、ユーザ名を入力可能なユーザ名欄６１と、パスワードを入力可能なパスワード欄６２とが設けられ、アグリゲーション用認証情報を入力可能に構成されている。
ユーザは、初めてアグリゲーションサービスを利用する場合には、認証手続き画面に設けられた「初めての方」ボタン６４を押下（クリック）し、初期登録を行う（Ｓ１０６、Ｓ１０７）。また、アグリゲーションサービスを利用したことがある（すなわち、初期登録済みの）ユーザは、世帯認証手続きに入る（Ｓ１０８）。なお、画面上のボタンの選択や押下、画面へのデータの入力等は、リモコンＲを操作することにより行える。
【００４５】
初期登録（Ｓ１０７）について、図１２−１、図１２−２を用いて以下に説明する。受信機２は、ボタン６４のクリックに応じて、放送電波から図１３に示すような初期登録画面のデータを受信し、初期登録画面を画面表示部２２に表示する。なお、先に受信した認証手続き画面のデータは、データ記憶部２１に記憶しておく。ユーザは、図１４に示すように、初期登録画面に設けられた氏名欄８４に氏名を入力し、住所欄８５に住所を入力する。また、支払欄８６から支払方法をクリックにより選択し、利用したいサービスをサービス選択欄８７からクリックにより選択する。サービスは複数選択可能である。ユーザが、かかる入力および選択を行い、図示されていない登録ボタンのクリック等、所定の操作を行うと、受信機２は、入力された初期登録情報（住所、氏名、選択された支払方法及びサービスを示す情報）を回線５を介して応答サーバ３に送信する（Ｓ３０１）。
【００４６】
応答サーバ３は、受信機２から受信した初期登録情報を、回線６を介してゲートウェイサーバ４に送信する（Ｓ３０２）。ゲートウェイサーバ４は、応答サーバ３から受信した初期登録情報を記憶部４０に記憶し、その初期登録情報を用いて、例えば選択されたカード会社のサーバシステムへの照会等を行うことにより、支払条件等の確認を行う。そして、支払条件が了承されなければ、例えば、その旨のメッセージを応答サーバ３を介して受信機２に送信し、画面表示部２２に表示させる等の初期登録不成立処理を行い（Ｓ３０４、Ｓ３０５）、支払条件が了承されれば、記憶部４０から読み出した初期登録情報を、インターネットを介して、選択されたサービスを提供しているサービス提供者のサービスシステムに送信する（Ｓ３０４、Ｓ３０６）。
【００４７】
サービス提供者のサービスシステムは、受信した初期登録情報に基づいて、該当するユーザの個別認証情報を記憶部から読み出して、インターネットを介してゲートウェイサーバ４に送信する（Ｓ３０７）。例えば、インターネットバンキングシステムＳ１であれば、該当するユーザの個別認証情報を、記憶部５０中の顧客認証ファイル５１から読み出してゲートウェイサーバ４に送信する。
【００４８】
ゲートウェイサーバ４は、各サービスシステムから受信した個別認証情報を認証データベース４１に登録（記憶）する。そして、ゲートウェイサーバ４は、ユーザ毎にユニークなユーザ名を決定するとともにパスワードを決定し、ユーザ名とパスワードとをアグリゲーション用認証情報として、回線６を介して応答サーバ３に送信する（Ｓ３０８）。また、ゲートウェイサーバ４は、アグリゲーション用認証情報を個別認証情報に対応付けて認証データベース４１に登録し、初期登録情報をアグリゲーション用認証情報に対応付けて記憶部４０に記憶する。応答サーバ３は、受信したアグリゲーション用認証情報を世帯認証データベース３１に登録するとともに、回線５を介して受信機２に送信する（Ｓ３０９）。
【００４９】
受信機２は、図１５−１に示すような初期登録完了画面のデータを放送電波から受信する。そして、応答サーバ３から受信したアグリゲーション用認証情報を、初期登録完了画面のデータに組み合わせることにより、図１５−２に示すように初期登録完了画面を画面表示部２２に表示する。初期登録完了画面には、アグリゲーション用認証情報と、受信機２がデータ記憶部２１に記憶しておいたユーザの氏名と住所とが表示される（Ｓ３１０）。
【００５０】
なお、パスワードはユーザが変更可能である。すなわち、例えばユーザが初期登録完了画面のパスワード欄８８に表示されたパスワードを変更し、図示しない変更ボタンをクリックすると、受信機２は、変更後のパスワードを応答サーバ３に送信する。応答サーバ３は、そのパスワードを世帯認証データベース３１に登録するとともにゲートウェイサーバ４に送信する。ゲートウェイサーバ４は、受信したパスワードを認証データベース４１に登録する。
【００５１】
初期登録を完了したユーザは、例えば初期登録完了画面に設けられている図示しない所定のボタンの押下等、所定の操作を行う。すると、受信機２は、データ記憶部２１から認証手続き画面のデータを読み出して、画面表示部２２に認証手続き画面を再表示する。
【００５２】
以下、図１０−２〜図１０−５に従って説明する。初期登録済みのユーザは、認証手続き画面（図１１参照）において、ユーザ名欄６１にユーザ名を入力し、パスワード欄６２にパスワードを入力して、ログインボタン６３を押下する。この操作に応じて、受信機２は、ユーザが入力したユーザ名とパスワードとを、応答サーバ３に送信する（Ｓ１０８）。なお、受信機２は、放送電波から図１６に示すような交信中画面のデータを受信し、ユーザ名とパスワードとを応答サーバ３に送信後、後述する一括表示画面を表示するまでは、この交信中画面を画面表示部２２に表示する。
【００５３】
１−２−２．返信データ受信ステップ
応答サーバ３は、受信機２から受信したユーザ名とパスワードにより認証チェックを行う（Ｓ１０９）。すなわち、受信したユーザ名とパスワードの組み合わせが、世帯認証データベース３１に記憶されているユーザ名とパスワードの組み合わせに一致するか否かを調べ、一致すれば世帯認証成功とし、一致しなければ世帯認証不成功とする。そして、応答サーバ３は、世帯認証不成功の場合には、認証不成功のメッセージと共に認証手続き画面を受信機２に再表示させる等、所定の認定不成功処理を行い、世帯認証成功の場合には、受信したユーザ名とパスワードとをゲートウェイサーバ４に送信する（Ｓ１１０、Ｓ１１１）。
【００５４】
ゲートウェイサーバ４は、受信したユーザ名及びパスワードに基づいて、認証データベース４１を検索し、そのユーザ名及びパスワードに対応付けられた個別認証情報とサービス提供者名を、認証データベース４１から読み出して記憶部４０中の作業用メモリに記憶する。
【００５５】
ゲートウェイサーバ４は、読み出した個別認証情報及びサービス提供者に基づいて、該当するサービスシステムに順次アクセスする。すなわち、ゲートウェイサーバ４は、読み出したサービス提供者名を有する設定情報テーブル４６（図８−１参照）からアドレス情報としてＵＲＬを読み出すとともに、言語方式を読み出して、記憶部４０の作業用メモリ等に記憶する。そして、その言語方式に応じたインターネットアクセス用プログラム４７を起動して、そのＵＲＬを指定することにより、該当する（すなわち、読み出したサービス提供者名で示される）サービス提供者のサービスシステムにアクセスし、返信データを受信する。そして、ゲートウェイサーバ４は、設定情報テーブル４６に記憶されている認証位置情報を参照して、サービスシステムからの返信データの所定位置に個別認証情報を組み入れて送信し、認証手続きを要求する（Ｓ１１２）。
【００５６】
ゲートウェイサーバ４から認証手続きの要求を受けたサービスシステムは、受信した個別認証情報に基づいて、認証手続きを行う。ここで、サービスシステムは既存のインターネットバンキングシステムＳ１等であり、ユーザからインターネットを介して直接認証手続きの要求を受けた場合と同様に動作する。すなわち、サービスシステムは、受信した個別認証情報と、例えば顧客認証ファイル５１等に登録されている認証情報との照合を行うことにより、認証手続きを行う（Ｓ１１３）。そして、個別認証不成功の場合（登録されている認証情報と一致しない場合）には、不成功を示すデータをゲートウェイサーバ４に返信し、ゲートウェイサーバ４は応答サーバ３と共に不正認証処理を行う（Ｓ１１５）。この不正認証処理としては、受信機２に対し、認証不成功であったサービス提供者の提供者名を、認証不成功を示すデータと共に送信し、後述する一括表示画面において、該当するサービス提供者からの情報を表示する部分に、個別認証が不成功であった旨のメッセージを表示する等の処理が考えられる。
【００５７】
また、サービスシステムは、個別認証成功の場合（登録されている認証情報と一致した場合）には、受信した個別認証情報を持つユーザについての詳細情報（例えば、口座情報、取引明細情報等）を記憶部から検索し、検索された詳細情報を含む返信データをゲートウェイサーバ４に返信する（Ｓ１１６）。例えば、インターネットバンキングシステムＳ１であれば、記憶部５０中の口座情報ファイル５２を検索して、受信した個別認証情報を持つユーザの口座情報を読み出して、返信データに含めてゲートウェイサーバ４に返信することとなる。サービスシステムからの返信データは、サービスシステムによってＨＴＭＬデータであったり、テキストデータであったりする等、その形式（言語方式）は様々であるが、言語方式が何であるかは、設定情報テーブル４６中の情報によって分かる。ゲートウェイサーバ４は、サービスシステムからの返信データを、記憶部４０の作業用メモリ等に記憶する。
【００５８】
なお、通常、認証データベース４１には１つのアグリゲーション用認証情報に対して複数の個別認証情報が登録されていることから、ゲートウェイサーバ４は、それら複数の個別認証情報を順次用いて、複数のサービスシステムに順次アクセスし、返信データを受信し記憶部４０に記憶する。すなわち、ステップＳ１１２からステップＳ１１６までの処理は、相手となるサービス業者を変えて複数回繰り返されるのが通常であるが、フローチャートでは、説明を簡単にするため、１回の流れのみ表示している。
【００５９】
１−２−３．詳細情報抽出ステップ
ゲートウェイサーバ４は、返信データの言語方式に応じた詳細情報抽出プログラム４８を起動し、そのプログラム４８に従って詳細情報抽出処理を行う（Ｓ１１７）。すなわち、ゲートウェイサーバ４は、設定情報テーブル４６中の抽出情報８１を参照して、記憶部４０に記憶した返信データから詳細情報を抽出して、サービスシステム毎に図１７に示すような詳細情報テーブルにまとめる。ここで、詳細情報とは、サービスシステムから得られる、受信機２に表示すべき情報であり、口座情報、取引明細情報等、一般にユーザによって異なり得る情報である。詳細情報テーブルには、サービスシステム毎に、サービス提供者名が格納されるとともに、データ名、データ長、データの内容（実データ）が互いに対応付けられて格納されている。なお、本実施形態では、説明の簡単のため、１のサービス提供者がサービスシステムを１つだけ提供するものとしたので、「サービスシステム毎」は「サービス提供者毎」と換言できる。
【００６０】
図１７に示す詳細情報テーブルの例では、ゲートウェイサーバ４は、「○○銀行」「△△証券」「××市役所」「□□クレジット」の４つのサービス提供者のサービスシステム（すなわち、図１に示すインターネットバンキングシステムＳ１、インターネット証券システムＳ２、インターネット住民サービスシステムＳ３、インターネットクレジットシステムＳ４）にアクセスし、各返信データから詳細情報を抽出し、データ名及びデータ長を付して格納している。また、ゲートウェイサーバ４は、詳細情報テーブルにサービス提供者名を格納する。
【００６１】
詳細情報抽出処理について、図１８−１、図１８−２に基づいて説明する。ゲートウェイサーバ４は、詳細情報を抽出しようとする返信データを返信したサービス提供者の設定情報テーブル４６を参照し、例えば、返信データがＨＴＭＬデータであれば、抽出情報８１中のキーワード（例えば「ＤＡＴＥ１」）をタグとするデータを返信データから検索し、データ長及びデータ形式を参照してそのデータ（例えば「２００３１００８」）を読み出す（Ｓ４０１）。そして、データ名（ここではキーワードをそのまま用いる）とデータ長と読み出したデータとを、詳細情報テーブルに格納する（Ｓ４０２）。ゲートウェイサーバ４は、設定情報テーブル４６中のキーワードがなくなるまで、この処理を繰り返す（Ｓ４０３）。ゲートウェイサーバ４は、受信した全ての返信データについてかかる詳細情報抽出処理を行って、サービス提供者毎の詳細情報テーブルを作成する。
【００６２】
１−２−４．詳細情報送信ステップ
ゲートウェイサーバ４は、アクセスすべきサービス提供者に全てアクセスし、サービス提供者毎に詳細情報テーブルを作成後、それらの詳細情報テーブルを応答サーバ３に一括送信する（Ｓ１１７）。図１７の例であれば、「○○銀行」「△△証券」「××市役所」「□□クレジット」のサービスシステムから得た詳細情報を一括して、応答サーバ３に送信することとなる。応答サーバ３は、ゲートウェイサーバ４から受信した詳細情報テーブルを受信機２に送信する（Ｓ１１８）。
【００６３】
１−２−５．詳細情報記憶ステップ
受信機２は、応答サーバ３から受信した詳細情報テーブルをデータ記憶部２１の作業用メモリ等に記憶する。
【００６４】
１−２−６．テンプレートデータ受信ステップ
受信機２は、放送電波からＢＭＬで記述された一括表示画面のテンプレートデータを受信し、データ記憶部２１に記憶する。ここで、テンプレートデータとは、詳細情報が組み込まれるべき画面のデータであり、詳細情報を含まないものである。すなわち、テンプレートデータとは、複数のサービスシステムから得た詳細情報を一括表示する画面のデータから、少なくとも詳細情報を除いたものであり、言わば、画面の詳細情報が組み込まれる部分を穴あき状態としたデータである。このテンプレートデータの受信は、後述する詳細情報組み込み処理の前であればよく、上述した詳細情報テーブルの受信を契機に行ってもよい。
【００６５】
一括表示画面のテンプレートデータは、図１９に示すような画面全体のテンプレートデータと、図２０に示すようなサービス提供者別の組み込み画面のテンプレートデータとからなっている。図１９では、組み込み画面が組み込まれる部分が破線で表されている。組み込み画面のテンプレートデータは、全サービス提供者について作成され、サービス提供者名が付されている。これらのテンプレートデータは、前述したデータカルーセル構造とされて、放送電波に乗せて配信されている。受信機２は、画面全体のテンプレートデータと全ての組み込み画面のテンプレートデータとを受信し、データ記憶部２１の作業用メモリ等に記憶する。なお、テンプレートデータの受信を詳細情報テーブルの受信後に行うときには、詳細情報テーブル中のサービス提供者名を参照して、必要な組み込み画面のテンプレートデータのみ受信するようにしてもよい。
【００６６】
また、受信機２は、放送電波から表規定情報を受信し、データ記憶部２１に記憶する。この表規定情報の受信も、後述する詳細情報組み込み処理の前であればよく、上述した詳細情報テーブルの受信を契機に行ってもよい。なお、表規定情報もサービス提供者毎に作成されているので、全ての表規定情報を受信するようにしてもよいし、詳細情報テーブルの受信後に受信するのであれば、詳細情報テーブル中のサービス提供者名を参照して、必要な表規定情報のみ受信するようにしてもよい。
【００６７】
１−２−７．一括表示画面表示ステップ
受信機２は、詳細情報テーブル中のサービス提供者名を参照して、該当するサービス提供者の組み込み画面のテンプレートデータを、データ記憶部２１から読み出し、そのテンプレートデータの記述（スクリプトを含むＢＭＬ記述）に従って動作することにより、詳細情報組み込み処理を行う（Ｓ１１９）。
【００６８】
詳細情報組み込み処理について、図１８−１、図１８−３に基づいて説明する。受信機２は、詳細情報テーブルと、その詳細情報テーブルと同じサービス提供者名を有する表規定情報と、その詳細情報テーブルと同じサービス提供者名を有するテンプレートデータとを用いて、詳細情報を以下のように組み込む。受信機２は、詳細情報テーブル中の詳細情報（実データ。例えば「２００３１００８」）を読み出し（Ｓ５０１）、表規定情報中のその詳細情報と同じデータ名（例えば「ＤＡＴＥ１」）が付けられた位置情報（例えば「Ｂ１１」）を参照して、テンプレートデータ中のその位置情報で示される位置に、読み出した詳細情報を組み込む（貼り付ける）（Ｓ５０２）。受信機２は、詳細情報テーブル中の詳細情報がなくなるまで、かかる処理を繰り返す（Ｓ５０３）。これにより、テンプレートデータのいわば穴あき部分に詳細情報が組み込まれ、組み込み画面のＢＭＬ記述が完成する。
【００６９】
受信機２は、受信した詳細情報テーブルの全てについて、以上の詳細情報組み込み処理を行い（Ｓ５０４）、各サービス提供者の組み込み画面のＢＭＬ記述を完成する。次に、受信機２は、画面全体のテンプレートデータをデータ記憶部２１から読み出し、そのテンプレートデータの記述に従って動作することにより、組み込み画面のＢＭＬ記述を画面全体のテンプレートデータに組み込む（Ｓ５０５）。この組み込み処理の手順例としては、画面全体のテンプレートデータ中に、組み込み画面を組み込む位置を複数指定しておき、それらの位置に、各組み込み画面に付された番号の若い順に、組み込み画面のＢＭＬ記述を組み込む等がある。また、ユーザが初期登録時にサービスを選択すると同時にサービスの表示順を指定することとし、その表示順をゲートウェイサーバ４が記憶しておいて詳細情報テーブルとともに、受信機２に送信し、その表示順に従って画面全体のテンプレートデータに組み込むようにしてもよい。なお、１つの画面全体のテンプレートデータに、全ての組み込み画面のＢＭＬ記述を組み込みきれなかった場合（図１９の例で、組み込み画面のＢＭＬ記述が４つより多い場合等）には、画面全体のテンプレートデータをデータ記憶部２１から再度読み出して、残りの組み込み画面のＢＭＬ記述を組み込む。
【００７０】
以上のように、組み込み画面のＢＭＬ記述を画面全体のテンプレートデータに組み込むことにより、画面全体のテンプレートデータのいわば穴あき部分にＢＭＬ記述が埋め込まれ、画面全体のＢＭＬ記述が完成される。受信機２は、完成されたＢＭＬ記述により画面表示部２２に一括表示画面（アグリゲーション詳細画面）を表示する（Ｓ１１９）。一括表示画面の例を図２１に示す。一括表示画面は、１つの画面に複数のサービスシステムから取得した詳細情報を含んでいる。受信機２は、一括表示画面のＢＭＬデータをデータ記憶部２１に記憶しておく。
【００７１】
１−２−８．特定サービストランザクション処理ステップ
ユーザは、個別の商取引等の特定サービス、すなわち、特定のサービス提供者に対する更なる詳細情報の問い合わせや、登録、決済等のトランザクション処理（以下、一括してトランザクション処理とも言う。）に移行したい場合には（Ｓ１２０）、図２２に示すように、リモコンＲを操作して、一括表示画面においてそのサービス提供者の組み込み画面を選択し、例えばリモコンＲの所定ボタンの押下等、特定サービスへ移行するための操作を行う。
【００７２】
すると、受信機２は、放送電波から、選択されたサービス提供者に応じた特定サービス入力画面（特定サービスへ移行するための画面を言う。）のＢＭＬデータを受信して、データ記憶部２１に記憶し、そのデータにより特定サービス入力画面を表示する（Ｓ１２１）。なお、特定サービス入力画面のＢＭＬデータは、図２３に示すように、各サービス提供者について作成され、放送電波に乗せて配信されている。特定サービス入力画面は、１つの特定サービスに付き複数画面に亘る場合もある。
【００７３】
ユーザは、表示された特定サービス入力画面において、リモコン操作により必要なデータの入力やボタンの選択等を行う。この操作について、図２４に基づいて説明する。図２４は、銀行の提供する振込み等の特定サービスへ移行するための特定サービス入力画面の例であり、残高欄７２、振込先欄７３、口座欄７４、振り込み額欄７５が設けられ、残高欄７２には、ステップＳ１１９で受信した詳細情報に基づいて、現在の残高が表示されている。ユーザが、この画面において、振込先欄７３に振込先銀行名を、口座欄７４に振込先口座番号を、振り込み額欄７５に振り込み金額を入力し、画面上の振込みボタン７１を押下すると、受信機２は、入力された情報を応答サーバ３に送信し、振込み処理を要求する。なお、ユーザの認証手続きは、ステップＳ１１１で済ませているのでここでは行わない。
【００７４】
応答サーバ３は、受信機２から受信した入力情報をゲートウェイサーバ４に送信する（Ｓ１２２）。ゲートウェイサーバ４は、応答サーバ３から受信した入力情報を用いて、インターネットを介し、特定サービス提供者との間でトランザクション処理を行う。図２４の例では、入力された振込先銀行名、振込先口座番号、及び、振り込み金額が、インターネットを介して、「○○銀行」のインターネットバンキングシステムＳ１に送信される。インターネットバンキングシステムＳ１は、受信した情報に基づいてトランザクション処理（ここでは、振込み処理）を行い、その結果をゲートウェイサーバ４に返信する（Ｓ１２４）。
【００７５】
ゲートウェイサーバ４は、特定サービス提供者のサービスシステム（図２４の例では、「○○銀行」のインターネットバンキングシステムＳ１）から返信されたデータから、上述した詳細情報抽出処理と同様にして詳細情報（ここでは、振込み金額、残高等）を抽出し、図２５に示すように詳細情報テーブルにまとめて、応答サーバ３に返信する（Ｓ１２５）。応答サーバ３は、ゲートウェイサーバ４から受信した詳細情報テーブルを受信機２に送信する（Ｓ１２６）。
【００７６】
受信機２は、ゲートウェイサーバ４から詳細情報テーブルを受信すると、特定サービス出力画面のテンプレートデータを放送電波から受信する。特定サービス出力画面のテンプレートデータは、図２６に示すように、各サービス提供者について作成され、放送電波に乗せて配信されている。受信機２は、この放送電波から必要な特定サービス出力画面のテンプレートデータを受信し、上述した詳細情報組み込み処理と同様にして、そのテンプレートデータに詳細情報テーブル中の詳細情報を組み合わせて、図２７に示すような特定サービス出力画面（アグリゲーション特定サービス画面）を表示する（Ｓ１２７）。
【００７７】
ユーザは、現在選択している特定サービス提供者に対するトランザクション処理を続行する場合には、画面上の所定のボタン（図２７には図示せず。）の選択や、リモコンＲに設けられた所定のボタンの操作等、所定の操作を行う。すると、受信機２は、データ記憶部２１に記憶しておいた特定サービス入力画面のデータを用いて、特定サービス入力画面を再表示する（Ｓ１２８）。
【００７８】
一方、ユーザは、現在選択している特定サービス提供者に対するトランザクション処理を続行しない場合であって、一括表示画面に戻りたい場合には、リモコンＲを用いて所定の操作を行う。すると、受信機２は、データ記憶部２１に記憶しておいた一括表示画面のデータを用いて、一括表示画面を再表示する（Ｓ１２９、Ｓ１３０）。
【００７９】
また、ユーザは、アグリゲーションサービスの利用を終えたい場合には、リモコンＲを用いて所定の操作を行う。すると、受信機２は、放送電波から終了画面のＢＭＬデータを受信し、図２８に示すようなアグリゲーション終了画面を表示する（Ｓ１２９、Ｓ１３１）。
【００８０】
１−３．効果
以上説明したように、第１実施形態によれば、デジタルデータ放送によって送信される画面のデータは、一般にデータ量が多くなりがちな詳細情報を含まない。このため、デジタルデータ放送によって送信されるデータ量を抑制することができる。
【００８１】
そして、ユーザが受信機２において一回ログイン操作すれば、受信機２の画面に複数サービス提供者からの情報が一括表示されるので、ユーザは、テレビである受信機２において手軽にアグリゲーションサービスを利用できることとなる。
【００８２】
また、サーバシステムＡが、各サービスシステムから返信されたデータから詳細情報を抽出して受信機２に送信し、受信機２が、デジタルデータ放送に対応したＢＭＬ記述のテンプレートデータを受信して、テンプレートデータと詳細情報とを組み合わせて一括表示画面を表示するので、各サービスシステムは、デジタルデータ放送に対応しないＨＴＭＬ等の既存の形式のデータをサーバシステムＡに返信すればよいこととなり、サービス提供者は、既存のインターネット対応のシステムをそのまま使用することができ、デジタルデータ放送に対応したシステムを構築する必要がない。
【００８３】
２．第２実施形態
次に、本発明の第２実施形態を図面に基づいて説明する。なお、第１実施形態と同様の部分については同じ図や同じ符号を用い、その説明を適宜省略する。
【００８４】
２−１．全体構成等
第２実施形態のアグリゲーションサービス方法は、図２９に示すように、放送システム１と、受信機２と、サーバシステムＡとを用いる。サーバシステムＡは、応答サーバセンタに設けられた応答サーバ３と、ゲートウェイセンタに設けられたゲートウェイサーバ４とを備えている。応答サーバ３は、図４に示すように、記憶部３０に記憶された世帯認証データベース３１を備えている。ゲートウェイサーバ４は、図６に示すように、記憶部４０に記憶された認証データベース４１を備えている。受信機２と応答サーバ３は電話回線５で接続されているが、後述するように、インターネットアクセス用プログラム４７をサーバシステムＡからダウンロードする形態とする場合には、受信機２と応答サーバ３とをインターネット用回線で接続する。
【００８５】
受信機２は、インターネットを介して各サービス提供者のサービスシステムに接続されている。受信機２の制御部２３は、データ記憶部２１に記憶されている各種のプログラムを実行して、サービスシステムへのアクセス処理や、詳細情報の抽出処理等の各種の処理を行う手段として機能する。
【００８６】
２−２．動作説明
次に、図３０−１〜図３０−６のフローチャートに基づいて動作説明を行う。
【００８７】
２−２−１．アグリゲーション用認証情報送信ステップ
まず、ゲートウェイサーバ４は、記憶部４０に記憶されているインターネットアクセス用プログラム４７、設定情報テーブル４６、及び、詳細情報抽出プログラム４８を、予め放送システム１に送っておく（Ｓ２００−１）。また、ゲートウェイサーバ４は、後述する一括表示画面のテンプレートデータのどこに詳細情報を埋め込むかを示す表規定情報を、予め放送システム１に送っておく（Ｓ２００−２）。これらの送付は、例えば、放送システム１とゲートウェイサーバ４とを専用回線等の回線で接続しておき、その回線を介して（すなわち、オンラインで）行ってもよいし、ＣＤ−ＲＯＭ等の記憶媒体に入れて送る等、オフラインで行ってもよい。
【００８８】
放送システム１では、送られたプログラム４７、４８、設定情報テーブル４６、表規定情報を記憶装置１３に記憶しておく。そして、放送システム１は、放送スケジュールにしたがって、アグリゲーションサービス一連の画面のデータやプログラム等を、記憶装置１３から読み出して、放送電波に乗せてカルーセル方式で送信する（Ｓ２０１）。
【００８９】
以下、ステップＳ２０２〜Ｓ２０８については、第１実施形態のアグリゲーション用認証情報送信ステップ（Ｓ１０２〜Ｓ１０８）と同じであるので説明を省略する。
【００９０】
２−２−２．個別認証情報送信ステップ
応答サーバ３は、受信機２から受信したユーザ名とパスワードが、世帯認証データベース３１に登録されているものと一致するか否かにより、認証チェックを行う（Ｓ２０９）。そして、応答サーバ３は、世帯認証不成功の場合には、所定の認定不成功処理を行い、世帯認証成功の場合には、そのユーザ名とパスワードとをゲートウェイサーバ４に送信する（Ｓ２１０、Ｓ２１１）。
【００９１】
ゲートウェイサーバ４は、受信したユーザ名及びパスワードに基づいて、認証データベース４１を検索し、そのユーザ名及びパスワードに対応付けられた個別認証情報とサービス提供者名とを、認証データベース４１から読み出し、応答サーバ３に送信する（Ｓ２１２）。応答サーバ３は、ゲートウェイサーバ４から受信した個別認証情報とサービス提供者名とを受信機２に送信する（Ｓ２１３）。応答サーバ３から受信機２に返信される個別認証情報とサービス提供者名の例を、図３１に示す。
【００９２】
２−２−３．個別認証情報記憶ステップ
受信機２は、ゲートウェイサーバ４から個別認証情報とサービス提供者名とを受信し、データ記憶部２１に記憶する。
【００９３】
２−２−４．プログラム・アドレス情報・抽出情報等ダウンロードステップ
受信機２は、放送電波からインターネットアクセス用プログラム４７と設定情報テーブル４６と詳細情報抽出プログラム４８をダウンロードして、データ記憶部２１に記憶する（Ｓ２１４）。このダウンロードのタイミングは、サービスシステムへのアクセス前であればよく、上述した個別認証情報の受信を契機としてもよいし、ユーザが所定のリモコン操作を行うことを契機に行ってもよい。また、初期登録処理（Ｓ２０７）において行うようにしてもよい。
【００９４】
なお、インターネットアクセス用プログラム４７を放送システム１に送って放送電波により配信することとはせず、受信機２と応答サーバ３とをインターネットで接続しておき、受信機２が、ユーザのリモコン操作等に応じて応答サーバ３にダウンロード要求を行い、これに応じて、応答サーバ３が、ゲートウェイサーバ４にインターネットアクセス用プログラム４７を要求し、ゲートウェイサーバ４から受信したインターネットアクセス用プログラム４７を、インターネットを介して受信機２に送信するように構成してもよい。設定情報テーブル４６や詳細情報抽出プログラム４８についても同様に、受信機２がインターネットを介してサーバシステムＡからダウンロードするようにしてもよい。
【００９５】
また、受信機２が全サービス提供者の設定情報テーブル４６をダウンロードするようにしてもよいし、受信機２が個別認証情報と共に受信したサービス提供者名を参照して、アクセスしようとするサービス提供者の設定情報テーブル４６のみダウンロードするようにしてもよい。
【００９６】
２−２−５．返信データ受信ステップ
受信機２は、インターネットアクセス用プログラム４７に従って、受信した設定情報テーブル中のＵＲＬを用いて、サービス提供者のサービスシステムにアクセスし、そのサービス提供者に対する個別認証情報を送信して認証手続きを要求する（Ｓ２１６）。すなわち、受信機２は、データ記憶部２１から個別認証情報とともに記憶しておいたサービス提供者名を読み出し、そのサービス提供者名を有する設定情報テーブル４６（図８−１参照）からＵＲＬと言語方式とを読み出し、その言語方式に応じたインターネットアクセス用プログラム４７を起動して、そのＵＲＬを指定することにより、サービスシステムにアクセスし、返信データを受信する。次に、受信機２は、設定情報テーブル４６に記憶されている認証位置情報を参照して、サービスシステムからの返信データの所定位置に個別認証情報を入れて送信し、認証手続きを要求する（Ｓ２１６）。
【００９７】
認証手続き要求を受けたサービスシステムは、受信した個別認証情報に基づいて、認証手続きを行う（Ｓ２１７）。そして、個別認証不成功の場合には、その旨のデータを返信し、受信機２は不正認証処理を行う（Ｓ２１８、Ｓ２１９）。また、個別認証成功の場合には、受信した個別認証情報を持つユーザについて、口座情報、取引明細情報等の詳細情報を検索し、検索された詳細情報を含む返信データを受信機２に返信する。受信機２は返信データをデータ記憶部２１に記憶する。
【００９８】
２−２−６．詳細情報抽出ステップ
受信機２は、返信データの言語方式に応じた詳細情報抽出プログラム４８に従って、返信データから詳細情報を抽出し、図１７に示すような詳細情報テーブルの形式にまとめて、データ記憶部２１に記憶する。この詳細情報抽出処理は、第１実施形態において説明した詳細情報抽出処理と同様にして行われるが、第１実施形態においてゲートウェイサーバ４が行っていた詳細情報抽出処理を、第２実施形態では受信機２が行う。
【００９９】
なお、通常、１つのアグリゲーション用認証情報に対して複数の個別認証情報が登録されていることから、受信機２は、それら複数の個別認証情報を順次用いて、複数のサービスシステムに順次アクセスし、各サービスシステムから返信データを受信する。そして、各返信データから詳細情報を抽出して、各サービス提供者について詳細情報テーブルを作成するが、フローチャートでは、説明を簡単にするため、１回の流れのみ表示している。
【０１００】
２−２−７．テンプレートデータ記憶ステップ
受信機２は、放送電波から一括表示画面のテンプレートデータを受信し、データ記憶部２１に記憶する。一括表示画面のテンプレートデータは、図１９に示すような画面全体のテンプレートデータと、図２０に示すようなサービス提供者別の組み込み画面のテンプレートデータとからなる。本実施形態では、受信機２は、画面全体のテンプレートデータとすべての組み込み画面のテンプレートデータとを受信して記憶する。なお、データ記憶部２１に記憶されているサービス提供者名を参照して、必要なサービス提供者の組み込み画面のテンプレートデータのみ受信するようにしてもよい。
【０１０１】
２−２−８．一括表示画面表示ステップ
受信機２は、詳細情報とテンプレートデータとをデータ記憶部２１から読み出し、テンプレートデータのＢＭＬ記述に従って、第１実施形態において説明した詳細情報組み込み処理と同様の手順で、表規定情報を参照して、各詳細情報テーブル中の詳細情報を、対応するサービス提供者の組み込み画面のテンプレートデータに組み込み、さらに、そのように詳細情報が組み込まれた組み込み画面のデータを、画面全体のテンプレートデータに組み込む。そして、完成したＢＭＬデータに基づいて、図２１に示すように、複数のサービス提供者から取得した詳細情報を１画面に一括表示する一括表示画面（アグリゲーション詳細画面）を表示する（Ｓ２２１）。
【０１０２】
２−２−９．特定サービストランザクション処理ステップ
ユーザは、特定のサービス提供者に対するトランザクション処理に移行したい場合には（Ｓ２２２）、図２２に示すように、リモコンＲを操作して、一括表示画面においてそのサービス提供者の組み込み画面を選択し、例えばリモコンＲの特定のボタンを押下する等、特定サービスへ移行するための操作を行う。すると、受信機２は、放送電波から、選択されたサービス提供者に応じた特定サービス入力画面のＢＭＬデータ（図２３参照）を受信し、特定サービス入力画面を表示する。
【０１０３】
ユーザは、表示された特定サービス入力画面において、図２４に示すように、リモコン操作により必要なデータの入力やボタンの選択等を行う。すると、受信機２は、インターネットアクセス用プログラム４７に従って、入力された情報を該当するサービス提供者のサービスシステムに送信し、トランザクション処理を要求する（Ｓ２２３）。情報を受信したサービスシステムは、トランザクション処理を行い、その結果を受信機２に返信する（Ｓ２２４）。
【０１０４】
受信機２は、サービスシステムからトランザクション処理の結果を受信すると、その返信データから必要な詳細情報を抽出して、図２５に示すように詳細情報テーブルにまとめる。そして、受信機２は、該当のサービス提供者の特定サービス出力画面のテンプレートデータ（図２６参照）を、放送電波から受信し、そのテンプレートデータに、詳細情報テーブル中の詳細情報を組み込んで、図２７に示すような特定サービス出力画面を表示する（Ｓ２２５）。
【０１０５】
ユーザは、現在選択している特定サービス提供者に対するトランザクション処理を続行する場合には、リモコンＲを用いて所定の操作を行う。すると、受信機２は特定サービス入力画面を再表示する（Ｓ２２６）。
【０１０６】
一方、ユーザは、現在選択している特定サービス提供者に対するトランザクション処理を続行しない場合であって、一括表示画面に戻りたい場合には、リモコンＲを用いて所定の操作を行う。すると、受信機２は一括表示画面を再表示する（Ｓ２２７、Ｓ２３０）。
【０１０７】
また、ユーザは、アグリゲーションサービスの利用を終えたい場合には、リモコンＲを用いて所定の操作を行う。すると、受信機２は、放送電波から終了画面のＢＭＬデータを受信し、図２４に示すようなアグリゲーション終了画面を表示する（Ｓ２２７、Ｓ２２８）。
【０１０８】
２−３．効果
以上説明したように、第２実施形態によれば、第１実施形態と同様に、デジタルデータ放送によって送信する画面のデータは、詳細情報を含まないので、デジタルデータ放送によって送信されるデータ量を抑制することができる。
【０１０９】
そして、ユーザが、受信機２において一回ログイン操作すれば、受信機２の画面に複数サービス提供者からの情報が一括表示されるので、ユーザは、テレビである受信機２において手軽にアグリゲーションサービスを利用できることとなる。
【０１１０】
また、受信機２が、各サービスシステムから返信されたデータから情報を抽出する一方、デジタルデータ放送に対応したＢＭＬ記述のテンプレートデータを受信して、テンプレートデータと抽出した情報とを組み合わせて表示するので、各サービスシステムは、デジタルデータ放送に対応しないＨＴＭＬ等の既存の形式のデータを返信すればよいこととなり、サービス提供者は、既存のインターネット対応のシステムをそのまま使用することができ、デジタルデータ放送に対応したシステムを構築する必要がない。
【０１１１】
３．他の実施形態
第１、第２実施形態においては、サーバシステムＡを応答サーバ３とゲートウェイサーバ４とを含むものとして構成したが、必ずしもこれらのサーバを分けて構成する必要はなく、１つのサーバでサーバシステムＡを構成してもよい。そして、このときには、世帯認証データベース３１と認証データベース４１を分ける必要はなく、認証データベース４１が世帯認証データベース３１を兼ねることとしてもよい。また、３つ以上のサーバで、サーバシステムＡを構成してもよい。
【０１１２】
また、第１、第２実施形態では、アグリゲーションサービスシステムを、放送システム１と受信機２とサーバシステムＡとを用いて構成したが、サーバシステムＡを用いない実施形態も採り得る。
【０１１３】
すなわち、受信機２のデータ記憶部２１を、ユーザのアグリゲーション用認証情報と個別認証情報とが対応付けられて格納される記憶部として用いることとし、ユーザが予め受信機２において認証情報入力画面（図示せず）を表示させ、その画面において、アグリゲーションサービスの契約時に付与されたアグリゲーション用認証情報と、各サービス提供者から付与された個別認証情報とを入力すると、受信機２は、それらを対応付けてデータ記憶部２１に記憶する。
【０１１４】
あるいは、放送システム１の記憶装置１３を、ユーザのアグリゲーション用認証情報と個別認証情報とが対応付けられて格納される記憶部として用いることとし、ユーザが受信機２において認証情報ダウンロード画面（図示せず）を表示させ、その画面において、アグリゲーションサービスの契約時に付与されたアグリゲーション用認証情報を入力すると、受信機２は、そのアグリゲーション用認証情報に対応付けられた個別認証情報を放送電波からダウンロードして、そのアグリゲーション用認証情報に対応付けてデータ記憶部２１に記憶する。
【０１１５】
そして、ユーザが認証手続き画面においてアグリゲーション用認証情報を入力すると、受信機２は、そのアグリゲーション用認証情報に対応付けられた個別認証情報を用いて、該当するサービスシステムにアクセスする。後は、第２実施形態と同様に動作する。このように、サーバシステムＡを用いない実施形態も採り得る。なお、設定情報テーブル４６や表規定情報、プログラム４７、４８等の準備は、放送システム１が行うものとし、必要に応じて受信機２が放送電波からダウンロードするものとする。かかるサーバシステムＡを用いない実施形態は、請求項３及び６に記載された発明の一実施形態である。
【０１１６】
すなわち、特許請求の範囲を逸脱しない範囲で、本発明は種々の実施形態を採り得る。
【図面の簡単な説明】
【０１１７】
【図１】本発明の第１実施形態に係るアグリゲーションサービスシステムの概略構成ブロック図である。
【図２】放送システムの概略構成ブロック図である。
【図３】受信機の概略構成ブロック図である。
【図４】応答サーバの概略構成ブロック図である。
【図５】世帯認証データベース内のデータの対応を示す図である。
【図６】ゲートウェイサーバの概略構成ブロック図である。
【図７】認証データベース内のデータの対応を示す図である。
【図８−１】設定情報テーブルの例である。
【図８−２】表規定情報の例である。
【図９】インターネットバンキングシステムの概略構成ブロック図である。
【図１０−１】第１実施形態のフローチャートである。
【図１０−２】第１実施形態のフローチャートであり、図１０−１の続きである。
【図１０−３】第１実施形態のフローチャートであり、図１０−２の続きである。
【図１０−４】第１実施形態のフローチャートであり、図１０−３の続きである。
【図１０−５】第１実施形態のフローチャートであり、図１０−４の続きである。
【図１０−６】第１実施形態のフローチャートであり、図１０−５の続きである。
【図１１】認証手続き画面の例である。
【図１２−１】初期登録処理のフローチャートである。
【図１２−２】初期登録処理のフローチャートであり、図１２−１の続きである。
【図１３】初期登録画面のデータのイメージ図である。
【図１４】初期登録画面の表示例であり、データの入力・選択が行われた状態である。
【図１５−１】初期登録完了画面のデータのイメージ図である。
【図１５−２】初期登録完了画面の表示例である。
【図１６】交信中画面の例である。
【図１７】詳細情報テーブルの例である。
【図１８−１】詳細情報抽出処理及び詳細情報組み込み処理を説明するための図である。
【図１８−２】詳細情報抽出処理のフローチャートである。
【図１８−３】詳細情報組み込み処理のフローチャートである。
【図１９】一括表示画面の画面全体のテンプレートデータのイメージ図である。
【図２０】一括表示画面に組み込まれる組み込み画面のテンプレートデータのイメージ図である。
【図２１】一括表示画面の例である。
【図２２】一括表示画面において特定サービス提供者の組み込み画面を選択したときの図である。
【図２３】特定サービス入力画面のデータのイメージ図である。
【図２４】特定サービス入力画面の表示例であり、データの入力が行われた状態である。
【図２５】詳細情報テーブルの例である。
【図２６】特定サービス出力画面のテンプレートデータのイメージ図である。
【図２７】特定サービス出力画面の例である。
【図２８】アグリゲーション終了画面の例である。
【図２９】本発明の第２実施形態に係るアグリゲーションサービスシステムの概略構成ブロック図である。
【図３０−１】第２実施形態のフローチャートである。
【図３０−２】第２実施形態のフローチャートであり、図３０−１の続きである。
【図３０−３】第２実施形態のフローチャートであり、図３０−２の続きである。
【図３０−４】第２実施形態のフローチャートであり、図３０−３の続きである。
【図３０−５】第２実施形態のフローチャートであり、図３０−４の続きである。
【図３０−６】第２実施形態のフローチャートであり、図３０−５の続きである。
【図３１】応答サーバから受信機に返信される個別認証情報とサービス提供者名の例である。
【符号の説明】
【０１１８】
１…放送システム
２…受信機
３…応答サーバ
４…ゲートウェイサーバ
５…回線
１０…アンテナ
１１…デジタル放送装置
１３…記憶装置
２１…データ記憶部
２２…画面表示部
３０…記憶部
４０…記憶部
Ａ…サーバシステム
【図１】
2005151347.tif 000003
【図２】
2005151347.tif 000004
【図３】
2005151347.tif 000005
【図４】
2005151347.tif 000006
【図５】
2005151347.tif 000007
【図６】
2005151347.tif 000008
【図７】
2005151347.tif 000009
【図８−１】
2005151347.tif 000010
【図８−２】
2005151347.tif 000011
【図９】
2005151347.tif 000012
【図１０−１】
2005151347.tif 000013
【図１０−２】
2005151347.tif 000014
【図１０−３】
2005151347.tif 000015
【図１０−４】
2005151347.tif 000016
【図１０−５】
2005151347.tif 000017
【図１０−６】
2005151347.tif 000018
【図１１】
2005151347.tif 000019
【図１２−１】
2005151347.tif 000020
【図１２−２】
2005151347.tif 000021
【図１３】
2005151347.tif 000022
【図１４】
2005151347.tif 000023
【図１５−１】
2005151347.tif 000024
【図１５−２】
2005151347.tif 000025
【図１６】
2005151347.tif 000026
【図１７】
2005151347.tif 000027
【図１８−１】
2005151347.tif 000028
【図１８−２】
2005151347.tif 000029
【図１８−３】
2005151347.tif 000030
【図１９】
2005151347.tif 000031
【図２０】
2005151347.tif 000032
【図２１】
2005151347.tif 000033
【図２２】
2005151347.tif 000034
【図２３】
2005151347.tif 000035
【図２４】
2005151347.tif 000036
【図２５】
2005151347.tif 000037
【図２６】
2005151347.tif 000038
【図２７】
2005151347.tif 000039
【図２８】
2005151347.tif 000040
【図２９】
2005151347.tif 000041
【図３０−１】
2005151347.tif 000042
【図３０−２】
2005151347.tif 000043
【図３０−３】
2005151347.tif 000044
【図３０−４】
2005151347.tif 000045
【図３０−５】
2005151347.tif 000046
【図３０−６】
2005151347.tif 000047
【図３１】
2005151347.tif 000048